(57)【要約】【課題】ハウジングの大型化を回避する。【解決手段】フィルタ素子内蔵型コネクタは、合成樹脂製のハウジング１０と、ハウジング１０にインサート成形により一体化された端子金具１９と、ハウジング１０に対して取付け可能であり、端子金具１９に接続される回路のノイズを除去するフィルタユニット２０と、フィルタユニット２０を構成するアース部材２１と、フィルタユニット２０を構成し、アース部材２１に支持されたフィルタ素子（コイル３０及びコンデンサ３４）と、フィルタユニット２０を構成し、半田３３によりフィルタ素子に接続された接続用端子３２と、端子金具１９と接続用端子３２を接続する中継端子３７とを備えている。【選択図】図１
2015088248.tif 000002
【特許請求の範囲】
【請求項１】
合成樹脂製のハウジングと、
前記ハウジングにインサート成形により一体化された端子金具と、
前記ハウジングに対して取付け可能であり、前記端子金具に接続される回路のノイズを除去するフィルタユニットと、
前記フィルタユニットを構成するアース部材と、
前記フィルタユニットを構成するフィルタ素子と、
前記フィルタユニットを構成し、半田により前記フィルタ素子に接続された接続用端子と、
前記端子金具と前記接続用端子を接続する中継端子とを備えていることを特徴とするフィルタ素子内蔵型コネクタ。
【請求項２】
前記中継端子が、前記端子金具及び前記接続用端子に対して弾性接触可能な弾性接触片を備えていることを特徴とする請求項１記載のフィルタ素子内蔵型コネクタ。
【発明の詳細な説明】
【技術分野】
【０００１】
本発明は、フィルタ素子内蔵型コネクタに関するものである。
【背景技術】
【０００２】
特許文献１には、合成樹脂製のハウジングに、ワイヤーハーネスに接続される端子金具と、アース部材を取り付け、ハウジング内に収容したコイルやコンデンサ等のフィルタ素子を、端子金具やアース部材に接続したフィルタ素子内蔵型コネクタが開示されている。
【先行技術文献】
【特許文献】
【０００３】
【特許文献１】特許第４５２４３１８号公報
【発明の概要】
【発明が解決しようとする課題】
【０００４】
この種のコネクタにおいて、フィルタ素子を端子金具やアース部材に接続する手段としては、通常、半田による方法が用いられる。特許文献１に記載されたコネクタでは、この半田を用いた接続が、ハウジングの内部で行われるようになっている。そのため、半田を溶かすための熱によって、合成樹脂製のハウジングが変形することが懸念される。これを回避するためには、ハウジングの内部空間に余裕を持たせ、ハウジングに半田付けの熱が及ばないようにする方法が考えられるが、そうすると、ハウジングが無駄に大きくなってしまう。
本発明は上記のような事情に基づいて完成されたものであって、ハウジングの大型化を回避することを目的とする。
【課題を解決するための手段】
【０００５】
本発明のフィルタ素子内蔵型コネクタは、
合成樹脂製のハウジングと、
前記ハウジングにインサート成形により一体化された端子金具と、
前記ハウジングに対して取付け可能であり、前記端子金具に接続される回路のノイズを除去するフィルタユニットと、
前記フィルタユニットを構成するアース部材と、
前記フィルタユニットを構成するフィルタ素子と、
前記フィルタユニットを構成し、半田により前記フィルタ素子に接続された接続用端子と、
前記端子金具と前記接続用端子を接続する中継端子とを備えているところに特徴を有する。
【発明の効果】
【０００６】
フィルタ素子内蔵型コネクタは、フィルタユニットをハウジングに取り付けるとともに、端子金具と接続用端子を接続する中継端子を用いることによって組み立てることができる。半田によるフィルタ素子と接続用端子の接続は、ハウジングの外部で行うことができるので、半田を溶かすための熱が合成樹脂製のハウジングに及ぶことがない。したがって、ハウジングを無駄に大型化せずに済む。
【図面の簡単な説明】
【０００７】
【図１】実施例１のフィルタ素子内蔵型コネクタにおいてカバーを外した状態をあらわす平面図
【図２】図１のＸ−Ｘ線断面図
【図３】中継端子による端子金具と接続用端子との接続構造をあらわす拡大断面図
【発明を実施するための形態】
【０００８】
（１）本発明のフィルタ素子内蔵型コネクタは、前記中継端子が、前記端子金具及び前記接続用端子に対して弾性接触可能な弾性接触片を備えていてもよい。この構成によれば、各部品の寸法公差が大きくても、中継端子と端子金具との接続、及び中継端子と接続用端子との接続を確実に行うことができる。
【０００９】
＜実施例１＞
以下、本発明を具体化した実施例１を図１〜図３を参照して説明する。本実施例のフィルタ素子内蔵型コネクタは、合成樹脂製のハウジング１０と、端子金具１９と、フィルタユニット２０と、一対の中継端子３７とを備えて構成されている。尚、以下の説明において、上下の方向については図２に表れる向きを基準とし、前後方向については図１〜３における左側を前側と定義する。
【００１０】
＜ハウジング１０＞
ハウジング１０は、ハウジング本体１１と、カバー１８とを組み付けて構成されている。ハウジング本体１１は、インサート成形により一対の端子金具１９と一体化されている。ハウジング本体１１は、箱部１２とフード部１３とを有する。箱部１２は、前壁部１４、左右両側壁部１５、底壁部１６とから構成されており、上面と後面が開放されている。底壁部１６の後端縁部には、上方へ段差状に立ち上がる左右方向に細長い位置決めリブ１７が形成されている。フード部１３は、前壁部１４の外周縁から前方へ角筒状に延出した形態である。カバー１８は、側面視が略Ｌ字形をなし、箱部１２の上面と後面の開口を塞ぐように組み付けられる。
【００１１】
＜端子金具１９＞
端子金具１９は、全体として前後方向に細長く延びた形態である。一対の端子金具１９は、左右に並列するように配されており、ハウジング１０の前壁部１４を前後に貫通した状態でインサート成形によりハウジング１０（箱部１２）と体化されている。したがって、端子金具１９の前端側領域は、フード部１３内に収容され、図示しないワイヤーハーネスを構成する相手側端子（図示省略）に接続されるようになっている。端子金具１９の後端側領域は、箱部１２内に収容されている。
【００１２】
＜フィルタユニット２０＞
フィルタユニット２０は、アース部材２１と、絶縁性の合成樹脂からなるスペーサ２８と、コイル３０（請求項に記載のフィルタ素子）と、左右一対の接続用端子３２と、一対のコンデンサ３４（請求項に記載のフィルタ素子）とを備えて構成されている。後述するように、フィルタユニット２０の組み立ては、ハウジング１０の外部で行われる。組み立てが完了したフィルタユニット２０は、中継端子３７とともにハウジング１０に取り付けられる。
【００１３】
＜アース部材２１＞
アース部材２１は、金属板材を所定形状に打ち抜いて曲げ加工等を施して成形されている。アース部材２１は、板状本体部２２と、屈曲部２３と、接地部２４とから構成されている。板状本体部２２は、全体として平面視方形の平板状をなしている。板状本体部２２には、その前端縁から上方へ僅かに立ち上がる係止リブ２５が形成されている。屈曲部２３は、板状本体部２２の後端縁に連なっている。屈曲部２３の下面には、左右方向に延びた位置決め溝２６が形成されている。
【００１４】
接地部２４は、屈曲部２３の後端縁に連なり、後壁部から後方へ延出している。接地部２４は、板状本体部２２に対し段差状に少し低く、且つ板状本体部２２と平行をなしている。フィルタユニット２０（アース部材２１）をハウジング１０に組み付けた状態では、接地部２４の下面がハウジング１０（ハウジング本体１１）の底壁部１６の下面に対して面一状に連なるようになっている。接地部２４の平面視形状は略方形である。接地部２４には、その板厚方向（上下方向）に貫通した形態の円形の取付孔２７が形成されている。フィルタ素子内蔵型コネクタは、アース部材２１の接地部２４を自動車のボディ等の接地面（図示省略）に当接させ、取付孔２７に貫通したボルト（図示省略）を接地面にねじ込むことにより、取り付けられるようになっている。
【００１５】
＜スペーサ２８＞
スペーサ２８は、合成樹脂製、つまり、絶縁性材料からなる。スペーサ２８は、平面視が略方形であって、所定の高さ寸法を有するブロック状をなす。スペーサ２８は、インサート成形により板状本体部２２の前端側領域と一体化されている。スペーサ２８の下面と板状本体部２２の下面は、面一状に連なっている。スペーサ２８には、その前後両端縁から上方へ立ち上がる前後一対の挟持部２９が形成されている。板状本体部２２の上面のうちスペーサ２８よりも後方の領域は、コンデンサ３４の後側のリード線３６Ｒを半田３３により接続するための接続領域として露出している。
【００１６】
＜コイル３０＞
コイル３０は、軸線を前後方向に向けた円柱形のコア３１の外周に螺旋状に巻き付けられて構成されている。コイル３０は、スペーサ２８の上面に載置され、コア３１は、前後一対の挟持部２９に間で挟み付けられている。これにより、コイル３０とコア３１がスペーサ２８に対して移動規制された状態に支持されている。コイル３０の下方にはアース部材２１の板状本体部２２が配置されているが、両者の間は絶縁性のスペーサ２８によって電気的に絶縁されている。コイル３０は、両端子金具１９に接続されたワイヤーハーネスにおけるノイズを除去又は低減するノイズフィルタとして機能を発揮する。
【００１７】
＜接続用端子３２＞
一対の接続用端子３２は、いずれも、前後方向に長い形状である。各接続用端子３２の上面後端部には、夫々、コイル３０の端部が半田３３により導通可能に固着されている。コイル３０を構成する線材は、比較的高い剛性を有するので、接続用端子３２は、コイル３０に対して簡単に位置ずれしないように支持されている。
【００１８】
＜コンデンサ３４＞
コンデンサ３４は、コンデンサ本体３５と、コンデンサ本体３５から延出する前後一対のリード線３６Ｆ，３６Ｒとを備えて構成されている。コンデンサ本体３５は、側面視が横長の略方形をなし、幅寸法は、前後寸法及び上下寸法に比べて小さい。コンデンサ本体３５は、スペーサ２８の上面に載置されている。一対のリード線３６Ｆ，３６Ｒは、いずれも、コンデンサ本体３５の上面における前端部と後端部から上向きに導出されている。
【００１９】
上向きに導出された前側のリード線３６Ｆは、前方へ転向し、更に下向きに転向するように屈曲されている。上向きに導出された後側のリード線３６Ｒは、後方へ転向し、更に下向きに転向するように屈曲されている。前側のリード線３６Ｆの下向きの先端部は、接続用端子３２の上面後端部に、コイル３０と一緒に半田３３により導通可能に固着されている。後側のリード線３６Ｒの下向きの先端部は、アース部材２１の板状本体部２２の上面に、半田３３により導通可能に固着されている。上記のコイル３０と２つのコンデンサ３４により、π型のフィルタ回路が構成され、端子金具１９に接続された回路のノイズがコイル３０と２つのコンデンサ３４により効果的に除去されるようになっている。
【００２０】
＜中継端子３７＞
中継端子３７は、所定形状に打ち抜いた金属板材に曲げ加工等を施して成型されたものである。図３に示すように、中継端子３７は、前後両端面が開放された角筒部３８と、角筒部３８内に収容した前後対称な一対の弾性接触片３９とから構成されている。弾性接触片３９は、角筒部３８を構成する基板部４０の前後両端縁から延出した板状部を、角筒部３８内へ折り返して山形に屈曲変形させて形成されている。
【００２１】
＜実施例の作用及び効果＞
フィルタ素子内蔵型コネクタの製造工程を説明する。まず、インサート成形により、ハウジング本体１１を成形すると同時に、ハウジング本体１１と一対の端子金具１９を一体化させる。一方、ハウジング１０の成型工程とは別に、フィルタユニット２０の組み立てが行われる。
【００２２】
フィルタユニット２０の組み立ては、まず、アース部材２１とスペーサ２８をインサート成形により一体化させる。次に、コイル３０とコア３１を挟持部２９によりスペーサ２８に取付け、コイル３０の両端部を一対の接続用端子３２に半田３３により固着する。コイル３０と接続用端子３２との接続工程では、同時に、コンデンサ３４の前側のリード線３６Ｆもコイル３０と一緒に接続用端子３２に接続する。この後、コンデンサ３４の後側のリード線３６Ｒを、アース部材２１の板状本体部２２に半田３３を用いて接続する。以上により、フィルタユニット２０の組み立てが完了する。
【００２３】
完成したフィルタユニット２０は、接続用端子３２を先に向けてハウジング１０の後方から箱部１２内に収容される。そして、接続用端子３２が端子金具１９に接近したところで、中継端子３７を接続用端子３２の前端部と端子金具１９の後端部に嵌合する。この嵌合は、端子金具１９と接続用端子３２のいずれを先に行ってもよい。そして、中継端子３７が端子金具１９と接続用端子３２に接続されると、前後方向においてフィルタユニット２０がハウジング１０に対して所定の取付け位置に到達することになる。
【００２４】
中継端子３７を接続した後は、フィルタユニット２０を下方へ少し変位させることにより、位置決め溝２６を位置決めリブ１７に嵌合する。これにより、ハウジング１０に対してフィルタユニット２０が前後方向への移動を規制された状態に位置決めされる。また、アース部材２１の屈曲部２３の左右両側面が箱部１２の後面の開口縁に当接することにより、フィルタユニット２０がハウジング１０に対して左右方向に位置決めされる。そして、最後にカバー１８をハウジング本体１１の箱部１２に組付ければ、フィルタ素子内蔵型コネクタの組み立てが完了する。
【００２５】
本実施例のフィルタ素子内蔵型コネクタは、合成樹脂製のハウジング１０と、ハウジング１０にインサート成形により一体化された端子金具１９と、ハウジング１０に対して取付け可能であり、端子金具１９に接続される回路のノイズを除去するフィルタユニット２０と、一対の中継端子３７とを備えている。フィルタユニット２０は、ハウジング１０に対して取付け可能とされたアース部材２１と、アース部材２１に支持されたコイル３０及び一対のコンデンサ３４と、半田３３によりコイル３０及びコンデンサ３４に接続された一対の接続用端子３２とを備えて構成されている。そして、中継端子３７は、端子金具１９と接続用端子３２とを接続するようになっている。
【００２６】
このように、本実施例のフィルタ素子内蔵型コネクタは、フィルタユニット２０をハウジング１０に取り付けるとともに、端子金具１９と接続用端子３２を接続する中継端子３７を用いることによって組み立てることができる。つまり、半田３３によるフィルタ素子と接続用端子３２の接続は、ハウジング１０の外部で行うことができるので、半田３３を溶かすための熱が合成樹脂製のハウジング１０に及ぶことがない。したがって、ハウジング１０の内部に、半田３３を溶かすための熱がハウジング１０に及ぶのを回避するための空間を設ける必要がない。これにより、ハウジング１０の大型化を回避することができる。
【００２７】
また、本実施例のフィルタ素子内蔵型コネクタは、中継端子３７が、端子金具１９及び接続用端子３２に対して弾性接触可能な弾性接触片３９を備えている。この構成によれば、中継端子３７や端子金具１９や接続用端子３２の寸法公差が大きくても、中継端子３７と端子金具１９との接続、及び中継端子３７と接続用端子３２との接続を確実に行うことができる。
【００２８】
＜他の実施例＞
本発明は上記記述及び図面によって説明した実施例に限定されるものではなく、例えば次のような実施例も本発明の技術的範囲に含まれる。
（１）上記実施例では、中継端子が端子金具及び接続用端子とは別体の部品であったが、中継端子は、端子金具に固着されていてもよく、接続用端子に固着されていてもよい。
（２）上記実施例では、フィルタ素子としてコイルと２つのコンデンサを用いたが、フィルタ素子は、コイルと１つのコンデンサであってもよく、コイルだけであってもよく、コンデンサだけであってもよい。
（３）上記実施例では、アース部材に形成した接地部を、前後方向においてフィルタ素子を挟んで端子金具とは反対の後方へ突出するように配したが、アース部材に接地部を形成せず、アース部材に設けたアース端子を端子金具と並ぶように配置し、このアース端子とアース部材を接続してもよい。この場合、アース端子とアース部材を接続する手段としては、アース端子とアース部材の一方を他方に形成した孔に差し込む形態や、アース端子とアース部材を電線で接続する形態、アース端子とアース部材を弾性的に接触させる形態等が可能である。
【符号の説明】
【００２９】
１０…ハウジング
１９…端子金具
２０…フィルタユニット
２１…アース部材
３０…コイル（フィルタ素子）
３２…接続用端子
３３…半田
３４…コンデンサ（フィルタ素子）
３７…中継端子
３９…弾性接触片
【図１】
2015088248.tif 000003
【図２】
2015088248.tif 000004
【図３】
2015088248.tif 000005